(57)【要約】【課題】入隅部を構成するいずれかの壁面にしか下地材がない場合でも、手摺バーを容易に固定できるようにする。【解決手段】手摺バーＢを入隅部に固定するための手摺ブラケット１において、入隅部に当接して固定される台座部２と、台座部２から延出した腕部３と、腕部３の先端側に手摺バーＢを保持する手摺バー保持部４とを備え、台座部２の背面側には、入隅部を構成する二つの壁面に応じて角度をなす二つの当接面５，６を形成し、台座部２の正面側から背面側へ貫通して、台座部２を壁面に固定するための固定ねじＳを挿通するねじ穴８を設け、ねじ穴８を、台座部２の正面側から二つの当接面５，６に亘って広がった形状とする。下地材のある壁面に向けて固定ねじＳをねじ穴８のいずれかの端部寄りに挿通し、その壁面に固定ねじＳをねじ込んで、台座部２を壁面に固定できる。【選択図】図１
2011052501.tif 000002
【特許請求の範囲】
【請求項１】
手摺バーを入隅部に固定するための手摺ブラケットであって、入隅部に当接して固定される台座部と、台座部から延出した腕部と、腕部の先端側に手摺バーを保持する手摺バー保持部とを備え、台座部の背面側には、入隅部を構成する二つの壁面に応じて角度をなす二つの当接面を形成し、台座部の正面側から背面側へ貫通して、台座部を壁面に固定するための固定ねじを挿通するねじ穴を設け、このねじ穴を、台座部の正面側から二つの当接面に亘って広がった形状としたことを特徴とする手摺ブラケット。
【請求項２】
前記ねじ穴は、台座部の腕部を挟んだ上下位置に設け、このねじ穴に、正面側から背面側へかけて、台座部の中央方向に拡径したテーパー面を形成したことを特徴とする請求項１に記載の手摺ブラケット。
【発明の詳細な説明】
【技術分野】
【０００１】
この発明は、建築物に設置される手摺において、手摺バーを入隅部に固定する手摺ブラケットに関するものである。
【背景技術】
【０００２】
一般に、図５に示すように、和風建築物の真壁構造においては、柱Ｐ３が壁面Ｗ３，Ｗ４から露出しており、入隅部においても、直角をなす二つの壁面Ｗ３，Ｗ４から柱Ｐ４の角部が僅かに露出している。下記特許文献１には、このような真壁の入隅部に手摺バーＢを固定する手摺ブラケット５１が記載されている。
【０００３】
この手摺ブラケット５１は、図６及び図７に示すように、その背面で柱Ｐ４に当接して固定される台座部５２と、台座部５２から延出した腕部５３と、腕部５３の先端側に手摺バーＢを保持する手摺バー保持部５４とを備えている。
【０００４】
台座部５２の背面側には、柱Ｐ４の頂角に対応する谷部５５と、柱Ｐ４の頂角を構成する二平面に当接する当接面５６とが設けられ、台座部５２の正面側から背面側の谷部５５へ貫通するように、台座部５２を柱Ｐ４に固定するための固定ねじＳを挿通するねじ穴５７が設けられている。固定ねじＳの頭部は、カバー５８で覆い隠される。
【先行技術文献】
【特許文献】
【０００５】
【特許文献１】特開２００９−２４４３１号公報
【発明の概要】
【発明が解決しようとする課題】
【０００６】
しかしながら、現代の住宅では、真壁構造よりも柱等の構造材を壁で覆い隠した２×４工法等の大壁構造が採用される場合が多く、このような大壁構造の入隅部に手摺バーを固定する際には、上記のような手摺ブラケットを使用することができない。
【０００７】
また、大壁構造の場合、入隅部を構成する二つの壁面のうち、一方の壁面にしか下地材がない場合があり、そのような場合、手摺バーを固定するには、下地材のある方向に応じた専用の手摺ブラケットを用意しなければならい。
【０００８】
また、手摺バーを保持した状態で、手摺バーの軸線に直交する壁面に固定ねじをねじ込む手摺ブラケットでは、固定ねじのねじ込みに際し、ドライバー等の工具が手摺バーに干渉して作業が困難な場合もある。
【０００９】
そこで、この発明は、入隅部を構成するいずれかの壁面にしか下地材がない場合でも、その下地材のある方向に応じて専用の手摺ブラケットを用意しておく必要がなく、手摺バーを容易に固定できるようにすることを目的とするものである。
【課題を解決するための手段】
【００１０】
上記課題を解決するため、この発明は、手摺バーを入隅部に固定するための手摺ブラケットにおいて、入隅部に当接して固定される台座部と、台座部から延出した腕部と、腕部の先端側に手摺バーを保持する手摺バー保持部とを備え、台座部の背面側には、入隅部を構成する二つの壁面に応じて角度をなす二つの当接面を形成し、台座部の正面側から背面側へ貫通して、台座部を壁面に固定するための固定ねじを挿通するねじ穴を設け、このねじ穴を、台座部の正面側から二つの当接面に亘って広がった形状としたのである。
【００１１】
また、前記ねじ穴は、台座部の腕部を挟んだ上下位置に設け、このねじ穴に、正面側から当接面へかけて、台座部の中央方向に拡径したテーパー面を形成したのである。
【発明の効果】
【００１２】
この発明に係る手摺ブラケットでは、固定ねじを挿通するねじ穴が台座部の正面側から二つの当接面に亘って広がっているので、手摺バーの入隅部への固定に際し、入隅部を構成する二つの壁面のうち、いずれか一方にしか下地材がない場合でも、下地材のある壁面に向けて固定ねじをねじ穴のいずれかの端部寄りに挿通し、その壁面に固定ねじをねじ込んで、台座部を壁面に固定することにより、手摺バーを手摺ブラケットを介して入隅部に固定することができる。
【００１３】
また、台座部の上下に位置するねじ穴に、正面側から当接面へかけて台座部の中央方向に拡径したテーパー面を設けたことにより、手摺バー保持部に手摺バーが保持されていたとしても、テーパー面に沿って固定ねじを斜めにねじ穴に挿入することができるので、手摺バーと工具とが干渉しない状態で、固定ねじを壁面にねじ込むことができる。
【図面の簡単な説明】
【００１４】
【図１】この発明に係る手摺ブラケットの入隅部壁面に対する固定状態を示す斜視図
【図２】同上の入隅部の各壁面への固定態様を示す横断平面図
【図３】同上の工具による固定ねじのねじ込み状態を示す斜視図
【図４】同上のねじ穴に固定ねじを挿入した状態の背面側斜視図
【図５】従来の真壁の入隅部への手摺ブラケットによる手摺設置状態を示す斜視図
【図６】同上の手摺ブラケットの分解斜視図
【図７】同上の手摺ブラケットの柱への固定状態を示す平面図
【発明を実施するための形態】
【００１５】
以下、この発明の実施形態を添付図面に基づいて説明する。
【００１６】
図１に示すように、この手摺ブラケット１は、手摺バーＢを大壁構造の入隅部に固定するために使用するものであり、入隅部に当接して固定される台座部２と、台座部２から延出した腕部３と、腕部３の先端側に手摺バーＢを保持する手摺バー保持部４とを備えている。腕部３と手摺バー保持部４とはエルボ型に湾曲して連設されている。
【００１７】
台座部２の背面側には、入隅部を構成する二つの壁面Ｗ１，Ｗ２に応じて直角をなす二つの当接面５，６が形成され、当接面５は、壁面Ｗ１に対応して手摺バーＢの軸線方向に向き、当接面６は、壁面Ｗ２に対応して手摺バーＢの軸線に直交する方向に向いている。
【００１８】
台座部２の正面側には、当接面５，６に対して均等に傾斜した４５°の角度をなす前隅面７が形成されている。この傾斜角度は、４５°に拘わることなく、施工時に後述の固定ねじＳをねじ込みやすい適宜の角度としても何ら差し支えはない。
【００１９】
台座部２には、前隅面７から当接面５，６へ貫通して、台座部２を壁面Ｗ１，Ｗ２に固定するための固定ねじＳを挿通するねじ穴８が設けられている。ねじ穴８は、前隅面７から二つの当接面５，６に亘って広がった形状とされ、台座部２の腕部３を挟んだ上下位置にそれぞれ１個ずつ配置されている。
【００２０】
前隅面７には、ねじ穴８の周囲に固定ねじＳの頭部を没入させるための座ぐり部９が形成され、座ぐり部９の幅は、固定ねじＳを斜めにねじ穴８に挿入しても、固定ねじＳの頭部が干渉しない大きさになっている。
【００２１】
また、図４に示すように、ねじ穴８には、前隅面７から当接面６へかけて、台座部２の中央方向に拡径したテーパー面１０が形成されている。
【００２２】
そのほか、図１に示すように、この手摺ブラケット１は、施工状態で固定ねじＳの頭部を覆い隠すカバー１１を備えている。カバー１１は、腕部３の部分が切り欠かれ、前隅面７の縁部で爪により台座部２に係脱するようになっている。
【００２３】
このような手摺ブラケット１を使用して、手摺バーＢを大壁構造の入隅部に固定するには、入隅部を構成する二つの壁面Ｗ１，Ｗ２の裏側に下地材が存在するかを確認し、壁面Ｗ１，Ｗ２に当接面５，６が沿うように手摺ブラケット１を入隅部に押し当てる。
【００２４】
そして、図２（ａ）に示すように、手摺バーＢの軸線に平行な壁面Ｗ１の裏側に下地材となる柱Ｐ１が存在する場合には、壁面Ｗ１に向けて固定ねじＳをねじ穴８の一方の端部寄りに挿通し、壁面Ｗ１に固定ねじＳをねじ込んで、台座部２を壁面Ｗ１に固定し、手摺バーＢを手摺バー保持部４に挿入する。
【００２５】
また、図２（ｂ）に示すように、手摺バーＢの軸線に直交する壁面Ｗ２の裏側に下地材となる柱Ｐ２が存在する場合には、壁面Ｗ２に向けて固定ねじＳをねじ穴８の他方の端部寄りに挿通し、壁面Ｗ２に固定ねじＳをねじ込んで、台座部２を壁面Ｗ２に固定し、手摺バーＢを手摺バー保持部４に挿入する。
【００２６】
そして、図１に示すように、手摺バー保持部４に設けられたビス穴１２を介して、ビスＶを手摺バーＢにねじ込み、手摺バー保持部４に対する手摺バーＢの回転及び軸線方向の移動を阻止して、手摺バーＢを手摺ブラケット１を介して入隅部に固定する。
【００２７】
このように、上記手摺ブラケット１では、入隅部を構成する二つの壁面Ｗ１，Ｗ２のうち、いずれか一方にしか下地材がない場合でも、下地材のある壁面Ｗ１又はＷ２に向けて固定ねじＳをねじ穴８のいずれかの端部寄りに挿通し、その壁面Ｗ１又はＷ２に固定ねじＳをねじ込んで、台座部２を壁面Ｗ１又はＷ２に固定し、手摺バーＢを手摺ブラケット１を介して入隅部に固定することができる。
【００２８】
ここで、図３に示すように、手摺バーＢが予め手摺バー保持部４に保持された状態で、壁面Ｗ２に固定ねじＳをねじ込む際には、テーパー面１０に沿って固定ねじＳを斜めにねじ穴８に挿入することにより、手摺バーＢとインパクトドライバー等の工具Ｔとが干渉しない状態で、固定ねじＳを壁面Ｗ２にねじ込むことができる。
【００２９】
なお、上記実施形態では、二つの壁面Ｗ１，Ｗ２が構成する入隅部に手摺ブラケット１を固定する場合について例示したが、手摺ブラケット１は、入隅部以外の部分に使用することもできる。この場合、当接面５，６の一方を覆うカバーを用意して、ねじ穴８が露出するのを防ぐようにしてもよい。
【符号の説明】
【００３０】
１  手摺ブラケット
２  台座部
３  腕部
４  手摺バー保持部
５，６  当接面
７  前隅面
８  ねじ穴
９  座ぐり部
１０  テーパー面
１１  カバー
１２  ビス穴
Ｂ  手摺バー
Ｓ  固定ねじ
Ｔ  工具
Ｖ  ビス
Ｗ１，Ｗ２  壁面
【図１】
2011052501.tif 000003
【図２】
2011052501.tif 000004
【図３】
2011052501.tif 000005
【図４】
2011052501.tif 000006
【図５】
2011052501.tif 000007
【図６】
2011052501.tif 000008
【図７】
2011052501.tif 000009